(57)【特許請求の範囲】
【請求項１】
リード線を備えた２つの電極が内部に配置されている環状放電管（２）を備え、リード線が環状放電管（２）の端部で気密に外部へ導かれ、環状放電管（２）がこの環状放電管（２）によって形成される平面を有し、環状放電管（２）の両端部がリード線に接続される口金接触子（８ａ、８ｂ、９ａ、９ｂ）を備えた口金（３）内で対向され、口金接触子（８ａ、８ｂ、９ａ、９ｂ）が環状放電管（２）によって形成される前記平面内に配置され、その口金接触子（８ａ、８ｂ、９ａ、９ｂ）が口金（３）の互いに対向する２つの側面（７ａ、７ｂ）に均等（８ａ、９ａ；８ｂ、９ｂ）に分割配置されている片口金形低圧放電ランプにおいて、
口金（３）は、環状放電管（２）によって形成される前記平面にほぼ垂直に向けられ互いに対向する２つの側壁（７ａ、７ｂ）を備えた細長い直方体状中央部材（６）と、環状放電管（２）の両端部を受入れるために中央部材（６）の両端面に成形された２つの円筒状突出部（４、５）とから構成され、口金接触子としてそれぞれ２個のピン（８ａ、９ａ；８ｂ、９ｂ）が中央部材（６）の両側壁（７ａ、７ｂ）の各々から突出している
ことを特徴とする片口金形低圧放電ランプ。
【請求項２】
ランプ端部のリード線は口金（３）の互いに対向する側壁（７ａ、７ｂ）に配置された口金接触子（８ａ、８ｂ、９ａ、９ｂ）に接続されることを特徴とする請求項１記載の低圧放電ランプ。
【請求項３】
口金（３）の側壁（７ａ、７ｂ）はランプソケット（１２）の弾性保持体（１８ａ、１８ｂ）でロックするための空所（１０ａ〜１０ｄ）を有することを特徴とする請求項１記載の低圧放電ランプ。
【請求項４】
環状放電管（２）は円形断面を有することを特徴とする請求項１記載の低圧放電ランプ。
【請求項５】
円形断面の直径は２０ｍｍ以下、特に約１６ｍｍであることを特徴とする請求項４記載の低圧放電ランプ。
【請求項６】
円筒状突出部（４、５）は円形断面を有し、環状放電管（２）の曲率に応じて斜めに成形されていることを特徴とする請求項１記載の低圧放電ランプ。
【請求項７】
環状放電管（２）は蛍光体膜を備えていることを特徴とする請求項１記載の低圧放電ランプ。
【請求項８】
ソケット（１２）は矩形状底面とＵ字状端面とを備えた溝状形状を有し、ソケット（１２）の両脚部（１３ａ、１３ｂ）は内部に弾性接触子（１６ａ、１７ａ；１６ｂ、１７ｂ）が配置された２つのスリット状空所（１４ａ、１５ａ；１４ｂ、１５ｂ）をそれぞれ備え、弾性接触子は口金（３）のピン接触子（８ａ、９ａ；８ｂ、９ｂ）の受入れ及びそれとの接触形成に使われることを特徴とする請求項１記載の片口金形低圧放電ランプのソケット。
【請求項９】
脚部（１３ａ、１３ｂ）間の溝状開口部の両側壁は突起状弾性保持体（１８ａ、１８ｂ）を備え、保持体（１８ａ、１８ｂ）はソケット（１２）内にランプ口金（３）を差込むと口金（３）の空所（１０ａ、１０ｃ；１０ｂ、１０ｄ）内に係合してランプ口金（３）をソケット（１２）内にロックすることを特徴とする請求項８記載のソケット。
【発明の詳細な説明】
【０００１】
【発明の属する技術分野】
本発明は、リード線を備えた２つの電極が内部に配置されている環状放電管を備え、リード線が放電管の端部で気密に外部へ導かれ、環状放電管がこの環状放電管によって形成される平面を有し、環状放電管の両端部がリード線に接続される口金接触子を備えた口金内で対向され、口金接触子が環状放電管によって形成される平面内に配置され、その口金接触子が口金の互いに対向する２つの側面に均等に分割配置されている片口金形低圧放電ランプ、及びそれに付属するソケットに関する。
【０００２】
この種のランプは平坦状の形状を特徴としている。このために、一般に円形断面を有する管状放電管は一平面内にこの放電管の両端部が対向するように配置される。特に環状形が慣用されている。この環状形に起因する円対称の放射特性に基づいて、環状形は例えば居住空間及び事務所空間内の一般照明に好適である。このためにランプは一般に照明器具内に組込まれる。この照明器具は必要に応じて光偏向のための光反射器を含むことができる。
【０００３】
放電管の端部を通って、放電管の内部に配置された電極のリード線が気密に外部へ導かれる。両放電管端部はリード線を含めて１つの共通の細長い口金によって囲繞される。リード線は口金の電気的接触子に接続される。この口金接触子はランプソケットの接触子との接触形成に使われる。
【０００４】
【従来の技術】
ピン状口金接触子をランプの環状平面に対して４５°の角度で正方形に配置した環状蛍光ランプ（例えばオスラム社の口金Ｇ１０ｑを備えたＬ３２／４１−８２７Ｃ）が知られている。
【０００５】
この公知の蛍光ランプの場合、ランプの取付けに際して口金とソケットとを結合するために比較的複雑な操作をしなければならないので時間が掛かるという欠点がある。他の欠点は口金が比較的嵩張り、特に平坦状のコンパクトな照明器具を構成するのを妨げている。
【０００６】
【発明が解決しようとする課題】
本発明の課題は、上述の欠点を除去し、簡単かつ迅速なランプの取付けを可能にし、しかも必要に応じて照明器具の装備を可能にするコンパクトでかつ平坦で簡単な構成の口金を有する冒頭で述べた種類の片口金形低圧放電ランプを提供することにある。
【０００７】
本発明の他の課題は、本発明による口金に適合するソケットを提供することにある。
【０００８】
【課題を解決するための手段】
このような課題は本発明によれば、片口金形低圧放電ランプに関しては、口金が、環状放電管によって形成される平面にほぼ垂直に向けられ互いに対向する２つの側壁を備えた細長い直方体状中央部材と、放電管の両端部を受入れるために中央部材の両端面に成形された２つの円筒状突出部とから構成され、口金接触子としてそれぞれ２個のピンが中央部材の両側壁の各々から突出していることによって解決される。
【０００９】
片口金形低圧放電ランプに関する本発明の実施態様は請求項２乃至７に記載されている。
【００１０】
さらに上記の課題は本発明によれば、ソケットに関しては、ソケットが矩形状底面とＵ字状端面とを備えた溝状形状を有し、ソケットの両脚部が内部に弾性接触子が配置された２つのスリット状空所をそれぞれ備え、弾性接触子が口金のピン接触子の受入れ及びそれとの接触形成に使われることによって解決される。
【００１１】
ソケットに関する本発明の実施態様は請求項９に記載されている。
【００１２】
本発明の基本思想は、放電管が延在する平面内に口金接触子をほぼ配置し、その場合口金接触子の半分を口金の第１の側面に配置しかつ口金接触子の残りの半分を口金の第１の側面に対向する第２の側面に配置することにある。各ランプ端部の両口金接触子が口金の互いに対向する側面にそれぞれ配置されることは好ましい。これによって口金接触子に接続するためのリード線を短くすることができる。さらにこのようにして、リード線が口金内で相互に接触するのを阻止することができる。
【００１３】
本発明による口金は特に短い全長を有することを特徴とする。この口金が特に小さい直径（従来の３０ｍｍの代わりに標準的に１６ｍｍ）を持つ放電管と共に使用されることは特に有利である。このことにより、口金を備えたランプの配置が全体的に比較的平坦になるという利点が得られる。
【００１４】
付属のソケットは口金を受入れるための溝状開口部を有する。この開口部の両側壁は口金接触子を受入れるための２つのスリット状空所をそれぞれ備える。この空所内には接触子が配置される。ソケット内に口金を差込むと、付属の接触子が接触し、それにより口金とソケットとの接触形成を保証する。このような実施態様の利点は照明器具を装備するために直線状の唯一つの操作しか必要としない点である。さらに、周囲よりも通常高電位にあるソケットの接触子は空所内で間違った接触から守られている。
【００１５】
本発明による口金は具体的な構成では細長い円筒状で両端面を開口した基本形を有する。口金の円形開口部は付属のリード線を含めて放電管の両端部の受入れに使われる。口金の直方体状中央部材の対向する２つの側面からはそれぞれ２つのピン状接触子が突出する。その場合、接触子は放電管が延在する平面内に配置される。各２つの接触子（つまり対向する両側面の各々の接触子）はそれぞれ放電管端部の両リード線に接続される接触子対を形成する。リード線が口金接触子の共通平面内で放電管から外部へ導かれることは好ましい。このようにして、リード線が相互に接触することなく、特に平坦状の形状を実現することができる。
【００１６】
付属のソケットはＵ字状の基本形状を有する。ソケットの両脚部は接触子を備えた２つのスリット状空所をそれぞれ有する。このスリット状空所内の接触子は口金接触子の受入れ及びそれとの接触形成に使われる。このためにランプの口金は脚部間の空間内に差込まれる。
【００１７】
簡単な実施態様では、ソケット接触子は係止ばねとして形成される。ソケット内へ口金を差込むと、口金接触子がソケット接触子内へ嵌合する。この場合、ソケット接触子は電気的接触形成の他に補助的に口金をロックするのに役立ち、その結果口金に結合されたランプをソケット内にロックするのに役立つ。
【００１８】
特に優れた実施態様では、ロックは補助的な固定要素によって行われる。このために、溝状開口部の両側壁はそれぞれ１つの突起状弾性保持体を備え、この保持体が口金とソケットとの結合の際口金の外壁の空所内へ嵌合する。接触形成と保持機能とをこのように分離することによって、接触子は機械的荷重を受けることがないという利点が得られる。その結果確実な接触形成が長時間の経過後も保証され、しかも場合によっては多数回のランプ交換後も同様に保証される。
【００１９】
【実施例】
次に、本発明の実施例を図面に基づいて詳細に説明する。
【００２０】
図１には本発明による蛍光ランプ１の平面図が概略的に示されている。この蛍光ランプ１は、公知のように、蛍光体膜を備え２つの電極が内部に配置された環状放電管２と、４個のピン状口金接触子８ａ、８ｂ、９ａ、９ｂを備え円筒状突出部４、５内に放電管２の両端部が突入している口金３とから構成されている。放電管２は約１６ｍｍの直径を持つ円形断面を有する。口金３は本発明によるランプの特徴を示し、従って以下において詳細に説明する。なお各図において同一符号は同一部分を表す。
【００２１】
図２の（ａ）乃至（ｃ）はそれぞれ図１に示された蛍光ランプ１の口金３の平面図、側面図及び端面図を示す。口金３は細長い直方体状中央部材６と、２つの円形状突出部４、５とから構成されている。突出部４、５は、図１に示されているように環状放電管２の両端部を受入れることができるようにするために、中央部材６の両端面にそれぞれ斜めに成形されている。中央部材６の２つの対向する側壁７ａ、７ｂからはそれぞれ２つの接触ピン８ａ、９ａもしくは８ｂ、９ｂが突出している。その場合各２つの接触ピン８ａ、８ｂ及び９ａ、９ｂ（対向する両側壁７ａ、７ｂの各々の接触子）はそれぞれの接触子対を形成している。第１の接触子対８ａ、８ｂは放電管２の第１の端部の両リード線に結合され（図示されていない）、第２の接触子対９ａ、９ｂは放電管２の第２の端部の両リード線に結合されている（図示されていない）。さらに上記側壁７ａ、７ｂはそれぞれ２つの矩形状空所１０ａ、１０ｂもしくは１０ｃ、１０ｄを有する（空所１０ｄは示されていない）。その場合各空所対１０ａ、１０ｂもしくは１０ｃ、１０ｄは長手辺の範囲に互いに対向して配置されている。側壁毎のそれぞれ一方の空所１０ａ、１０ｃは付属のソケットの対応する弾性保持体に対する嵌合口として使われる。他方の空所１０ｂ、１０ｄはそれぞれ口金を１８０°回転させた際ロック手段として役立つ。中央部材６の長手辺はランプソケット内に差込んだ際斜めになるのを防止するための面取り部１１を有する。
【００２２】
図３の（ａ）及び（ｂ）は図１に示された口金３に付属するソケット１２の平面図及び端面図を示す。このソケット１２は矩形状底面とＵ字状端面とを備えた溝状形状を有する。ソケットの両脚部１３ａ、１３ｂは弾性接触子１６ａ、１７ａもしくは１６ｂ、１７ｂを備えた２つのスリット状空所１４ａ、１５ａもしくは１４ｂ、１５ｂをそれぞれ有する。弾性接触子１６ａ、１７ａもしくは１６ｂ、１７ｂは口金３の対応するピン接触子８ａ、９ａもしくは８ｂ、９ｂの受入れ及びそれとの接触形成に使われる。脚部１３ａ、１３ｂ間の溝状開口部の両側壁はそれぞれ１つの突起状の弾性保持体１８ａ、１８ｂを備えている。ランプの接触形成及びロックのために、口金３が溝状開口部内に差込まれると、ソケットの弾性保持体１８ａ、１８ｂが口金３の空所１０ａ、１０ｂに嵌合する。
【図面の簡単な説明】
【図１】本発明による片口金形環状蛍光ランプの平面図。
【図２】図１に示された蛍光ランプの口金を示し、（ａ）はその平面図、（ｂ）はその側面図、（ｃ）はその端面図。
【図３】図１に示された口金に付属するソケットを示し、（ａ）はその平面図、（ｂ）はその端面図。
【符号の説明】
１  蛍光ランプ
２  環状放電管
３  口金
４、５  突出部
６  中央部材
７ａ、７ｂ  側壁
８ａ、８ｂ、９ａ、９ｂ  ピン状口金接触子
１０ａ、１０ｂ、１０ｃ  空所
１１  面取り部
１２  ソケット
１３ａ、１３ｂ  脚部
１４ａ、１４ｂ、１５ａ、１５ｂ  スリット状空所
１６ａ、１６ｂ、１７ａ、１７ｂ  弾性接触子
１８ａ、１８ｂ  弾性保持体
【図１】
0003854354.tif 000002
【図２】
0003854354.tif 000003
【図３】
0003854354.tif 000004